(57)【要約】【課題】センサ素子を実装した、ユーザに煩わしさを感じさせることのない快適な操作性を与える携帯電子機器を提供する。【解決手段】携帯電子機器に実装した各センサ素子群内のセンサ素子が検出する接触に応じて表示部の表示を制御する際に、複数のセンサ素子群(G1、G2)のいずれかのセンサ素子群内の少なくとも１つのセンサ素子(L3、L4)が第１の接触を検出し、第１の接触に連続して、第１の接触を検出したセンサ素子を含むセンサ素子群に隣接する他のセンサ素子群内の１つ以上のセンサ素子(R1)が第２の接触を検出したとき、第１の接触および第２の接触のうち、接触を検出したセンサ素子をより多く含む方のみを有効とする（接触に関わるセンサ数が少ない方は無効にする）。【選択図】  図１４
2008054035.tif 000002
【特許請求の範囲】
【請求項１】
接触が検出される複数のセンサ素子が複数の群を構成するように連続的に並べて配され、各群の端部が隣同士になるよう配されている複数のセンサ素子群と、
前記複数のセンサ素子群のうちのいずれかのセンサ素子群にて接触が検出され、該接触に連続して、他のセンサ素子群にて接触が検出されると、接触を検出したセンサ素子を多く含む側のセンサ素子群における接触検出結果のみを有効とする制御部と、
を備えることを特徴とする携帯電子機器。
【請求項２】
連続的かつ隣接させて配置した接触が検出される複数のセンサ素子を有する第１のセンサ素子群と、
連続的かつ隣接させて配置した接触が検出される複数のセンサ素子を有する第２のセンサ素子群と、を備え、
前記第１のセンサ素子群の一端と前記第２のセンサ素子群の一端とが互いに隣になるように配され、前記第１のセンサ素子群の他端と前記第２のセンサ素子群の他端とが互いに隣になるように配されることによって、前記第１のセンサ素子群と前記第２のセンサ素子群とが環状に形成され、
前記第１および前記第２センサ素子群のいずれか一方のセンサ素子群にて接触が検出され、該接触に連続して他方のセンサ素子群にて接触が検出されると、接触が検出されたセンサ素子を多く含む側のセンサ素子群における接触検出結果のみを有効とする制御部をさらに備える、
ことを特徴とする携帯電子機器。
【請求項３】
請求項１または２に記載の携帯電子機器において、
前記制御部は、いずれか一方のセンサ素子群内の１つのセンサ素子にて接触の検出がなされ、続けて他方のセンサ素子群内の２つ以上のセンサ素子にて接触の検出がなされたとき、当該２つ以上の接触の検出がなされたセンサ素子を含む側のセンサ素子群による検出結果のみを有効とする
ことを特徴とする携帯電子機器。
【請求項４】
請求項１または２に記載の携帯電子機器において、
前記制御部は、いずれか一方のセンサ素子群内の２つ以上のセンサ素子にて連続して接触の検出がなされ、続けて他方のセンサ素子群内の１つのセンサ素子にて接触の検出がなされたとき、前記２つ以上の接触の検出がなされたセンサ素子を含む側のセンサ素子群による検出結果のみを有効とする
ことを特徴とする携帯電子機器。
【請求項５】
請求項１乃至４のいずれか１項に記載の携帯電子機器において、
表示部をさらに備え、
前記制御部は、前記複数のセンサ素子群それぞれのセンサ素子にて検出される接触のうち、有効とされる検出結果に基づいて前記表示部の表示を制御する
ことを特徴とする携帯電子機器。
【請求項６】
請求項５に記載の携帯電子機器において、
前記複数のセンサ素子群の各々に配される複数のセンサ素子は、前記表示部の周辺に沿うように並べられている
ことを特徴とする携帯電子機器。
【請求項７】
各センサ素子群が、連続的かつ隣接させて配置した、接触が検出される複数のセンサ素子を含み、各センサ素子群の少なくとも一方の端部が、他のセンサ素子群の端部の隣になるよう配されている、複数のセンサ素子群を備える携帯電子機器の制御方法であって、
前記複数のセンサ素子群のうちのいずれかのセンサ素子群内の少なくとも１つのセンサ素子にて接触を検出するステップと、
前記複数のセンサ素子群のうちのいずれかのセンサ素子群から他のセンサ素子群にて連続して接触が検出されると、接触を検出したセンサ素子を多く含む側のセンサ素子群における接触検出結果のみを有効とするステップと、
を含むことを特徴とする携帯電子機器の制御方法。
【発明の詳細な説明】
【技術分野】
【０００１】
本発明は、携帯電子機器に関し、より詳細には、操作入力部として接触を検出する複数のセンサ素子を設けた携帯電子機器およびその制御方法に関する。
【背景技術】
【０００２】
従来、携帯電子機器の操作入力部として様々なインターフェイスや構成が開発されてきた。例えば、携帯電子機器に回転ダイヤル式入力デバイスを設け、表示部上に表示させたカーソルを回転ダイヤル式入力デバイスの回転量に応じて移動させる技術がある（特許文献１を参照されたい。）。しかしながら、このような従来技術では、物理的・機械的な回転を伴う「回転ダイヤル」を用いているため、機械的な磨耗などによって誤動作や故障などが発生し易く、操作入力部のメンテナンスが必要であったり、耐用期間が短いという問題があった。
【０００３】
そこで、物理的・機械的な回転を伴わない操作入力部としてセンサ素子を利用する技術が提案されている（特許文献２，３を参照されたい。）。この提案技術は、複数のセンサ素子を円環状に配して、個々のセンサ素子からの接触検出を監視し、連続的な接触検出を検出した場合は、その接触検出箇所の移動に応じて、表示位置の移動指示が生じたと判定するものである。
【特許文献１】特開2003-280792号公報
【特許文献２】特開2005-522797号公報
【特許文献３】特開2004-311196号公報
【発明の開示】
【発明が解決しようとする課題】
【０００４】
図２５、図２６に、従来のセンサ素子およびその制御例を示す。図２５（ａ）、図２６（ａ）に示すように円環状に設けたセンサ素子を、例えば、図２５（ａ）の矢印ＡＲのように指で右回りになぞった場合には、同図（ｂ）の表示部の項目ＬＳ１−８のうちのいずれが選択されているのかを示す操作対象領域（ハッチングにてＬＳ３上
に示すカーソルなど）を下方にスクロールし、図２６（ａ）の矢印ＡＲのように左回りになぞった場合には、同図（ｂ）のように上方にスクロールするなどの「移動ルール」が予め規定されている。しかしながら、このような「移動ルール」では、円環状に設けたセンサ素子の左下から「上方」に右回りで指でなぞった場合に、例えば、表示部の項目ＬＳ１−８のうちの操作対象領域ＬＳ３が「下方にスクロール」することになり、ユーザの指の移動方向と、表示部の項目のスクロール方向とが一致せず、操作性に違和感を覚えるユーザが多い。一般的なユーザは、自己の指の移動方向と同じように表示項目も移動することを直感的に期待するが、この提案技術では、自己の期待とは異なる逆側への表示動作となりユーザはストレスを感じることとなる。すなわち、移動を指示するユーザの指の物理的な動き（円運動）と、表示項目のスクロール動作（上下方向、左右方向）とが一致しないことが、回転ダイヤル式のみならずセンサ素子式でも依然として問題である。
【０００５】
また、小型で筐体外面の実装面積が狭い携帯電子機器に、操作性とデザイン性を損なうことなくセンサ素子と表示部とを当該筐体外面に搭載させたい。その場合、センサ素子も必然的に小型なものとなり、ユーザの意図する位置のセンサ素子を正しく触ることができず、表示部に表示されたカーソルや操作対象領域が思わぬ方向へ移動してしまう。例えば、センサ素子上で移動を指示するユーザの指が少しでも行き過ぎて意図しない指示動作となるセンサ素子にタッチしてしまった場合などには、ユーザの意図するものとは異なる表示部の動作となる。このことも、ユーザにストレスを感じさせる要因となり得る。特に、ユーザが当該携帯電子機器を使い慣れないうちは顕著である。従って、ユーザの指示動作に忠実に従いつつ、ユーザの不注意や不慣れによって生じ得るセンサ素子の誤接触を回避・無効とするような技法が求められている。
【０００６】
本発明は、上述した諸課題を解消し、ユーザの指示動作には適切に対応しながら、ユーザが意図せずに行いうる操作（すなわち、誤った指示動作）を回避・無効とし、ユーザに煩わしさを感じさせることのない快適な操作性を与える携帯電子機器を提供することを目的とする。
【課題を解決するための手段】
【０００７】
上述した諸課題を解決すべく、第1の発明による携帯電子機器は、接触が検出される複数のセンサ素子が複数の群を構成するように連続的に並べて配され、各群の端部が隣同士になるよう配されている複数のセンサ素子と、前記複数のセンサ素子群のうちのいずれかのセンサ素子群にて接触が検出され、該接触に連続して、他のセンサ素子群にて接触が検出されると、接触を検出したセンサ素子を多く含む側のセンサ素子群における接触検出結果のみを有効とする制御部とを備えることを特徴とする。
【０００８】
また、第２の発明による携帯電子機器は、連続的かつ隣接させて配置した接触が検出される複数のセンサ素子を有する第１のセンサ素子群と、連続的かつ隣接させて配置した接触が検出される複数のセンサ素子を有する、第２のセンサ素子群と、を備え、前記第１のセンサ素子群の一端と前記第２のセンサ素子群の一端とが互いに隣になるように配され、前記第１のセンサ素子群の他端と前記第２のセンサ素子群の他端とが互いに隣になるように配されることによって、前記第１のセンサ素子群と第２のセンサ素子群とが環状に形成され、前記第１および前記第２センサ素子群のいずれか一方のセンサ素子群にて接触が検出され、該接触に連続して他方のセンサ素子群にて接触が検出されると、接触が検出されたセンサ素子を多く含む側のセンサ素子群における接触検出結果のみを有効とする制御部をさらに備えることを特徴とする。
【０００９】
また、第３の発明による携帯電子機器は、前記制御部は、いずれか一方のセンサ素子群内の１つのセンサ素子にて接触の検出がなされ、続けて他方のセンサ素子群内の２つ以上のセンサ素子にて接触の検出がなされたとき、当該２つ以上の接触の検出がなされたセンサ素子を含む側のセンサ素子群による検出結果のみを有効とすることを特徴とする。
【００１０】
さらに、第４の発明による携帯電子機器は、前記制御部は、いずれか一方のセンサ素子群内の２つ以上のセンサ素子にて連続して接触の検出がなされ、続けて他方のセンサ素子群内の１つのセンサ素子にて接触の検出がなされたとき、前記２つ以上の接触の検出がなされたセンサ素子を含む側のセンサ素子群による検出結果のみを有効とすることを特徴とする。
【００１１】
第５の発明による携帯電子機器は、表示部をさらに備え、前記制御部は、前記複数のセンサ素子群それぞれのセンサ素子にて検出される接触のうち、有効とされる検出結果に基づいて前記表示部の表示を制御することを特徴とする。
【００１２】
第６の発明による携帯電子機器は、前記複数のセンサ素子群の各々に配される複数のセンサ素子は、前記表示部の周辺に沿うように並べられていることを特徴とする。
【００１３】
上述したように本発明の解決手段を機器（装置）として説明してきたが、本発明はこれらに実質的に相当する方法、プログラム、プログラムを記録した記憶媒体としても実現し得るものであり、本発明の範囲にはこれらも包含されるものと理解されたい。
例えば、本発明を方法として実現させた第７の発明による携帯電子機器の制御方法は、各センサ素子群が、連続的かつ隣接させて配置した、接触が検出される複数のセンサ素子を含み、各センサ素子群の少なくとも一方の端部が、他のセンサ素子群の端部の隣になるよう配されている、複数のセンサ素子群を備える携帯電子機器の制御方法であって、前記複数のセンサ素子群のうちのいずれかのセンサ素子群内の少なくとも１つのセンサ素子にて接触を検出するステップと、前記複数のセンサ素子群のうちのいずれかのセンサ素子群から他のセンサ素子群にて連続して接触が検出されると、接触を検出したセンサ素子を多く含む側のセンサ素子群における接触検出結果のみを有効とするステップとを含むことを特徴とする。
【発明の効果】
【００１４】
本発明によれば、ユーザの指示動作に忠実に従いつつ、ユーザの不注意や不慣れによって生じ得るセンサ素子の誤接触を回避して、ユーザに煩わしさを感じさせることのない快適な操作性を与える携帯電子機器を提供することができる。
【発明を実施するための最良の形態】
【００１５】
以降、諸図面を参照しながら本発明の実施態様を詳細に説明するが、携帯電子機器の典型例として携帯電話端末に本発明を適用して説明する。
【実施例１】
【００１６】
図１は、本実施例の携帯電話端末の概要を示すブロック図である。図に示した携帯電話端末１００は、制御部１１０、センサ部１２０、表示部１３０、記憶部（フラッシュメモリなど）１４０、情報処理部１５０、電話機能部１６０、キー操作部ＫＥＹ、およびスピーカＳＰ、さらに、図示しないＣＤＭＡ通信網に接続して通信を行う通信部ＣＯＭにより構成されている。さらに、センサ部１２０は複数のセンサ素子（例えば、その検知部を機器筐体の外面に設けてあり、指などの物体の接触・近接を検出する接触センサ）を含んだセンサ素子群を、用途に応じてｎ個、すなわち第１のセンサ素子群Ｇ１、第２のセンサ素子群Ｇ２および第ｎのセンサ素子群Ｇ３を含み、記憶部１４０は保存領域１４２、外部データ保存領域１４４から構成されている。制御部１１０および情報処理部１５０は、ＣＰＵなどの演算手段およびソフトウェアモジュールなどから構成させることが好適である。なお、後述するシリアルインターフェース部ＳＩ、シリアルインターフェースＳＩを介して制御部１１０に接続されるＲＦＩＤモジュールＲＦＩＤや赤外線通信部、さらにはカメラ１８０やライト１９０の他、マイクＭＩＣ、ラジオモジュールＲＭ、電源ＰＳ、電源コントローラＰＳＣＯＮ等が制御部１１０に接続されるが、ここでは簡略化のため省略する。
【００１７】
図１のブロック図における各ブロックの機能を簡単に説明する。制御部１１０は、センサ部１２０によりユーザの指などの物体の接触を検出し、記憶部１４０の保存領域１４２に検出した情報を格納し、情報処理機能部１５０により格納した情報の処理を制御する。そして、処理結果に応じた情報を表示部１３０に表示させる。さらに制御部１１０は、通常の通話機能のための電話機能部１６０、キー操作部ＫＥＹ、およびスピーカＳＰを制御する。なお、表示部１３０は、サブ表示部ＥＬＤおよび図示しないメイン表示部（携帯電話端末１００が閉状態にて隠れ、開状態にて露出する位置に設けられる表示部）を含んで構成される。
【００１８】
図２は、センサ素子を筐体に実装した本実施例の携帯電話端末１００の斜視図である。携帯電話端末１００は、図２に示すような閉状態のほか、ヒンジ部を回転、スライドさせて開状態を形成することが可能であって、タッチセンサ部１７０は閉状態においても操作可能な位置に設けられている。図２（ａ）は携帯電話端末１００の外観を示す斜視図である。携帯電話端末１００は、タッチセンサ部１７０（外観上、センサ部１２０、すなわちセンサ素子Ｇ１、Ｇ２を覆う図３にて後述するパネルＰＮＬが見えている）、カメラ１８０、およびライト１９０を備える。図２（ｂ）は、本実施例によるタッチセンサの動作の説明のために、パネルＰＮＬを省略し、センサ素子とサブ表示部ＥＬＤ周辺のみの配置を表示した本実施例の携帯電話端末１００の斜視図である。図のように、センサ素子Ｌ１〜Ｌ４およびＲ１〜Ｒ４が、サブ表示部ＥＬＤの周囲に沿って並べて配置されている。センサ素子Ｒ１〜Ｒ４、Ｌ１〜Ｌ４は、それぞれ第１のセンサ素子群、第２のセンサ素子群を構成している。第１のセンサ素子群と第２のセンサ素子群は、離間部ＳＰ１、ＳＰ２を隔てて並べられている。第１のセンサ素子群Ｇ１のレイアウトに対して、第２のセンサ素子群Ｇ２は、表示部を挟み、選択候補項目の並べられている方向を中心線とする線対称なレイアウトを持つ。また、本実施例ではサブ表示部ＥＬＤに有機ＥＬディスプレイを用いてあるが、例えば液晶表示ディスプレイ等を用いることもできる。また、本実施例ではセンサ素子として静電容量式の接触センサを用いたが、薄膜抵抗式の接触センサ等を用いることもできる。
【００１９】
図２の携帯電話端末１００において、サブ表示部ＥＬＤは携帯電話端末１００の用途に応じた情報を表示する。例えば、携帯電話端末１００を音楽プレーヤーとして用いる場合、サブ表示部ＥＬＤには演奏できる曲目が表示される。曲名およびアーティスト名の組で１つの項目、即ち、「選択候補項目」となる。ユーザは、操作入力部としてタッチセンサ部１７０を操作してセンサ素子Ｒ１〜Ｒ４、Ｌ１〜Ｌ４の静電容量を変化させて、サブ表示部ＥＬＤに表示された項目や操作対象領域を移動させて曲目の選択を行う。このとき、タッチセンサは、図２のようにサブ表示部ＥＬＤの周囲にセンサ素子を並べる構成とすれば、小型な携帯電子機器の外部筐体における実装部分を大きく占有せずに済み、かつ、ユーザはサブ表示部ＥＬＤの表示を見ながらセンサ素子を操作することができる。
【００２０】
図３は、図２に示した本実施例の携帯電話端末１００実装した表示部周囲の構成を示す分解斜視図である。わかり易くするため、各部材を、構成する順に分離して示している。図に示すように、有機ＥＬ素子からなる表示部ＥＬＤの周囲に沿ってドーナツ状のパネルＰＮＬが配されている。パネルＰＮＬは、下部に設けるセンサ素子の感度に影響を与えないように十分に薄くすることが好適である。パネルＰＮＬの下部には、人体の指の接触を検知できる静電容量型の８個のセンサ素子Ｌ１−Ｌ４、Ｒ１−Ｒ４をほぼ環状に配置してある。左側の４つのセンサ素子Ｌ１−Ｌ４で第１のセンサ素子群、右側の４つのセンサ素子Ｒ１−Ｒ４で第２のセンサ素子群をそれぞれ構成している。各センサ素子群内の隣接するセンサ素子の間には、隣接するセンサ素子同士で接触検出機能に干渉しないように、クリアランス（隙間）を設けて配置してある。なお、干渉しないタイプのセンサ素子を用いる場合にはこのクリアランスは不要である。第１のセンサ素子群の一端に位置するセンサ素子Ｌ４と、第２のセンサ素子群の一端に位置するセンサ素子Ｒ１との間には、前記クリアランスより大きいクリアランス（例えば、２倍以上の長さ）である離間部ＳＰ１を設ける。第１のセンサ素子群Ｇ１の他端に位置するセンサ素子Ｌ１と、第２のセンサ素子群Ｇ２の他端に位置するセンサ素子Ｒ４との間にも、離間部ＳＰ１と同様に離間部ＳＰ２を設ける。このような離間部ＳＰ１、ＳＰ２によって、第１のセンサ素子群Ｇ１と第２のセンサ素子群Ｇ２とが別個に機能させる際に、互いに指が干渉することを防止することができる。
【００２１】
第１のセンサ素子群Ｇ１の各センサ素子は円弧状に配置されているが、この円弧の中央、即ち、センサ素子Ｌ２およびＬ３の中間の下部に、タクトスイッチＳＷ１の中心を配置する。同様に、第２のセンサ素子群Ｇ２の各センサ素子で形成される円弧の中央、即ち、センサ素子Ｒ２およびＲ３の中間の下部に、タクトスイッチＳＷ２を配置する。このように、方向性を連想させない位置であるセンサ素子群の配置方向にほぼ中央にタクトスイッチを配置することによって、センサ素子上におけるユーザによる指の方向性を持った移動指示操作による方向指示とは直接関係しない操作を行うスイッチであることを、ユーザは容易に把握することができる。センサ素子群の配置方向の中央ではなく端部（例えばＬ１やＬ４）にタクトスイッチを配置してあると、端部側向きの方向性を連想させるため、タッチセンサによる移動動作を継続などのために長押しする「スイッチ」であるという誤解をユーザに与え易い。一方、本発明の構成のように、センサ素子群の配置方向の中央にタクトスイッチを配置してあれば、このような誤解を防止することができ、より快適なユーザインターフェースを提供することが可能である。また、センサ素子の下方にタクトスイッチを配して機器外面に露出していないため、機器の外観上も露出する操作部の点数を削減でき、複雑な操作を要さない様なスマートな印象となる。なお、スイッチパネルＰＮＬ下部以外の箇所に設ける場合には、機器筐体に別途貫通孔を設ける必要があるが、貫通孔を設ける位置によっては筐体強度の低下が生じ得る。本構成では、パネルＰＮＬ、および、センサ素子の下方にタクトスイッチを配することによって、新たな貫通孔を設ける必要がなくなり、筐体強度の低下も防止できる。
【００２２】
ユーザが、例えば、指で順次にセンサ素子Ｌ１、Ｌ２、Ｌ３、Ｌ４を円弧状に上方に向かってなぞると、表示部ＥＬＤに表示されている選択候補項目（例えば、音、表示、データ、カメラ）のうち選択対象領域（反転表示や別のカラーでの強調表示など）として表示されている項目が上方のものに順次変化したり、選択候補項目が上方にスクロールしたりする。所望の選択候補項目が選択対象領域として表示されているときに、ユーザは、パネルＰＮＬおよびセンサ素子Ｌ２、Ｌ３越しにタクトスイッチＳＷ１を押下して選択決定を行ったり、タクトスイッチＳＷ２を押下して表示事態を別画面に変更したりすることができる。即ち、パネルＰＮＬは、タクトスイッチＳＷ１、ＳＷ２を押下するのに十分な可逆性を持つ、あるいはわずかに傾倒可能に機器筐体に取り付けられ、タクトスイッチＳＷ１、ＳＷ２に対する押し子の役割も持っている。
【００２３】
図４は、本発明を適用した携帯電話端末１００の詳細な機能ブロック図である。言うまでもないが、図４に示す各種ソフトウェアは、記憶部１４０に記憶されるプログラムに基づき、同じく記憶部１４０上にワークエリアを設けた上で、制御部１１０が実行することにより動作する。図に示すように、携帯電話端末の諸機能は、ソフトウェアブロックとハードウェアブロックとに分かれる。ソフトウェアブロックは、フラグ記憶部ＦＬＧを持つベースアプリＢＡ、サブ表示部表示アプリＡＰ１、ロックセキュリティアプリＡＰ２、その他アプリＡＰ３、およびラジオアプリＡＰ４から構成される。ソフトウェアブロックは、さらに、赤外線通信アプリＡＰＩＲおよびＲＦＩＤアプリＡＰＲＦも含む。これらの各種アプリ（アプリケーションソフトウェア）がハードウェアブロックの各種ハードウェアを制御するときに、赤外線通信ドライバＩＲＤ、ＲＦＩＤドライバＲＦＤ、オーディオドライバＡＵＤ、ラジオドライバＲＤ、およびプロトコルＰＲをドライバとして使用する。例えば、オーディオドライバＡＵＤ、ラジオドライバＲＤ、およびプロトコルＰＲは、それぞれ、マイクＭＩＣ、スピーカＳＰ、ラジオモジュールＲＭ、および通信部ＣＯＭを制御する。ソフトウェアブロックは、さらに、ハードウェアの操作状態を監視・検出するキースキャンポートドライバＫＳＰも含み、タッチセンサドライバ関連検出、キー検出、折り畳み式やスライド式などの携帯電話端末の開閉を検出する開閉検出、イヤホン着脱検出などを行う。
【００２４】
ハードウェアブロックは、ダイヤルキーや後述するタクトスイッチＳＷ１〜ＳＷ４を含む各種ボタンなどを含むキー操作部ＫＥＹ、ヒンジ部の動作状況などに基づき開閉を検出する開閉検出デバイスＯＣＤ、機器本体付属のマイクＭＩＣ、イヤホンＥＡＰ、スピーカＳＰ、通信部ＣＯＭ、ラジオモジュールＲＭ、シリアルインターフェース部ＳＩ、および切替制御部ＳＷＣＯＮから構成される。切替制御部ＳＷＣＯＮは、ソフトウェアブロックの該当ブロックからの指示に従って、赤外線通信部ＩＲ、ＲＦＩＤモジュール（無線識別タグ）ＲＦＩＤ、タッチセンサモジュールＴＳＭ（センサ部１２０と、発振回路などのセンサ部１２０を駆動する上で必要な部品一式をモジュール化したもの）のうちのいずれか１つを選択して当該信号をシリアルインターフェース部ＳＩが拾い上げるように選択対象ハードウェア（ＩＲ、ＲＦＩＤ、ＴＳＭ）を切り替える。電源ＰＳは、電源コントローラＰＳＣＯＮを介して選択対象ハードウェア（ＩＲ、ＲＦＩＤ、ＴＳＭ）に電力を供給する。
【００２５】
図５は、上述した本実施例の携帯電話端末１００のタッチセンサ機能のより詳細な構成を示すブロック図である。図に示した携帯電話端末１００は、タッチセンサドライバブロックＴＤＢ、タッチセンサベースアプリブロックＴＳＢＡ、デバイス層ＤＬ、割込ハンドラＩＨ、キューＱＵＥ、ＯＳタイマーＣＬＫ、各種アプリＡＰ１〜ＡＰ３を備える。ここでタッチセンサベースアプリブロックＴＳＢＡは、ベースアプリＢＡおよびタッチセンサドライバ上位アプリケーションプログラムインターフェースＡＰＩを備え、タッチセンサドライバブロックＴＤＢは、タッチセンサドライバＴＳＤおよび結果通知部ＮＴＦを備える。また、デバイス層ＤＬは、切替制御部ＳＷＣＯＮ、切替部ＳＷ、シリアルインターフェース部ＳＩ、赤外線通信部ＩＲ、ＲＦＩＤおよびタッチセンサモジュールＴＳＭを備え、割込ハンドラＩＨは、シリアル割込み監視部ＳＩＭＯＮおよび確認部ＣＮＦを備える。
【００２６】
次に、各ブロックの機能を図を参照に説明する。タッチセンサベースアプリブロックＴＳＢＡにおいて、ベースアプリＢＡと、タッチセンサドライバ上位アプリケーションプログラムインターフェースＡＰＩとの間では、タッチセンサを起動するか否かのやり取りが行なわれる。ベースアプリＢＡは、サブ表示部用のアプリケーションであるサブ表示部表示アプリＡＰ１、セキュリティ保護用に携帯電話端末１００にロックをかけるアプリケーションであるロックセキュリティアプリＡＰ２、その他のアプリケーションＡＰ３のベースとなるアプリケーションであり、ベースアプリＢＡに前記各アプリからタッチセンサの起動が要求された場合に、タッチセンサドライバ上位のアプリケーションプログラムインターフェースＡＰＩにタッチセンサの起動を要求する。なおサブ表示部とは、各図に示すサブ表示部ＥＬＤであって、本実施例における携帯電話端末１００においてセンサ素子により囲まれた表示部のことを指す。
【００２７】
起動の要求を受け、タッチセンサ上位アプリケーションプログラムインターフェースＡＰＩは、ベースアプリＢＡ内のアプリケーションの起動を管理するブロック（図示せず）に、タッチセンサの起動が可能か否かの確認を行う。すなわち、アプリケーションの選択が実行されていることを示すサブ表示部ＥＬＤの点灯、またはＦＭラジオその他の携帯電話端末１００に付属するアプリケーション等の、予めタッチセンサの起動が不可能と設定されたアプリケーションの起動を示すフラグの有無を確認する。その結果、タッチセンサの起動が可能と判断された場合、タッチセンサ上位アプリケーションプログラムインターフェースＡＰＩはタッチセンサドライバＴＳＤにタッチセンサモジュールの起動を要求する。すなわち、実質的には電源コントローラＰＳＣＯＮを介した電源ＰＳからタッチセンサモジュールＴＳＭへの電源供給を開始する。
【００２８】
起動が要求されると、タッチセンサドライバＴＳＤはデバイス層ＤＬ内のシリアルインターフェース部ＳＩに要求して、シリアルインターフェース部ＳＩにおけるタッチセンサドライバＴＳＤとのポートを開くように制御する。
【００２９】
その後、タッチセンサドライバＴＳＤは、タッチセンサのセンシング結果の情報を有する信号（以降、接触信号と記す）を、タッチセンサモジュールＴＳＭが有する内部クロックによる２０ｍｓの周期で、シリアルインターフェース部ＳＩに出力されるように制御する。
【００３０】
前記接触信号は、上述した各センサ素子Ｒ１〜Ｒ４およびＬ１〜Ｌ４の８つのセンサ素子それぞれに対応した８ビット信号で出力されている。すなわち、各センサ素子が接触を検知すると、この接触を検知したセンサ素子に対応するビットに、接触検知を表す「フラグ：１」が立っている信号であって、これらのビット列により接触信号が形成される。つまり、接触信号には、「どのセンサ素子」が「接触／非接触のいずれか」を示す情報が含まれる。
【００３１】
割込ハンドラＩＨにおけるシリアル割込み監視部ＳＩＭＯＮは、シリアルインターフェース部ＳＩに出力された接触信号を取り出す。ここで確認部ＣＮＦが、シリアルインターフェース部ＳＩにおいて予め設定された条件に従い、取り出した接触信号のＴｒｕｅ／Ｆａｌｓｅの確認を行い、Ｔｒｕｅ（真）な信号のデータのみをキューＱＵＥに入れる（信号のＴｒｕｅ／Ｆａｌｓｅの種別については後述する。）。また、シリアル割込み監視部ＳＩＭＯＮは、タクトスイッチの押下の発生などのタッチセンサ起動中のシリアルインターフェース部ＳＩの他の割込み事象の監視も行う。
【００３２】
なお、監視部ＳＩＭＯＮは、検出した接触が最初の接触であった場合には「プレス」を意味する信号を接触信号の前にキューＱＵＥに入れる（キューイングする）。その後、オペレーションシステムの有するＯＳタイマーＣＬＫによるクロック４５ｍｓ周期で接触信号の更新を行い、所定回数接触を検出しなかった場合には「リリース」を意味する信号をキューＱＵＥに入れる。このことにより、接触開始からリリースまでのセンサ素子間での接触検出の移動を監視することができるようになる。なお、「最初の接触」とは、キューＱＵＥにデータのない状態、或いは、直近の入力データが「リリース」である場合に「フラグ：１」を有する信号が発生する事象を指す。これらの処理により、タッチセンサドライバＴＳＤは、「プレス」から「リリース」の区間のセンサ素子の検出状態を知ることができる。
【００３３】
同時に、監視部ＳＩＭＯＮは、タッチセンサから出力される接触信号がＦａｌｓｅとなる条件を満たす信号であった場合に、「リリース」を意味する信号を擬似的に生成してキューＱＵＥに入れる。ここでＦａｌｓｅ（偽）となる条件としては、「非連続な２つのセンサ素子で接触を検出した場合」、「タッチセンサ起動中に割込みが生じた場合（例えば、メール着信等の通知でサブ表示部ＥＬＤの点灯／消灯状態が変更された場合）」、「タッチセンサ起動中にキー押下が発生した場合」、または後述するように「複数のセンサ素子群をまたぐ接触を検出した場合」などが設定される。
【００３４】
また、監視部ＳＩＭＯＮは、例えば、センサ素子Ｒ２とＲ３といった隣接する２つのセンサ素子で同時に接触を検出した場合には、単一の素子を検出した場合と同様に、接触を検出した素子に対応するビットにフラグが立った接触信号をキューＱＵＥに入れる。
【００３５】
タッチセンサドライバＴＳＤは、４５ｍｓ周期でキューＱＵＥから接触信号を読み出し、読み出した接触信号によって、接触を検知した素子を判定する。タッチセンサドライバＴＳＤは、キューＱＵＥから順次に読み出した接触信号により判定した接触の変化、および、検知した素子との位置関係を考慮して、「接触スタートの素子」、「接触の移動方向（右／左回り）の検出」、および「プレスからリリースまでに移動した素子の数（すなわち移動距離）」の判定を行う。タッチセンサドライバＴＳＤは、判定された結果を結果通知部ＮＴＦに書き込むとともに、ベースアプリＢＡに結果を更新するように通知する。
【００３６】
接触の移動方向および移動距離の判定は、隣接するセンサ素子の検出および各センサ素子の検出の組合せによって行うが、これには種々の手法（判定ルール）を適用することができる（詳細について後述する）。例えば、ある１つのセンサ素子（例えばＲ２）から隣接するセンサ素子（この例の場合、Ｒ２およびＲ３）へと接触が遷移すると、その方向に、１素子分（サブ表示部における１項目分）の移動とすると判定する。
【００３７】
前述のように、結果の更新がタッチセンサドライバＴＳＤによってベースアプリＢＡに通知されると、ベースアプリＢＡは結果通知部ＮＴＦを確認し、この結果通知部ＮＴＦに通知された情報の内容を、さらに上位のアプリケーションであってタッチセンサ結果を要するアプリケーション（サブ表示部におけるメニュー画面表示のための表示部表示アプリＡＰ１、およびロック制御のためのロックセキュリテイアプリＡＰ２など）に通知する。
【００３８】
図６は、本実施例の携帯電話端末１００における各センサ素子による接触検知のデータ処理を説明する概略ブロック図である。説明の簡易化のため、センサ素子Ｒ１〜Ｒ４についてのみ示してあるが、センサ素子Ｌ１〜Ｌ４についても同様である。
【００３９】
センサ素子Ｒ１〜Ｒ４の各々には、高周波が印加されており、一定の浮遊容量の変化を考慮してキャリブレーションし、このときの高周波状態を基準として設定されており、それぞれ、前処理部２００（Ｒ１用前処理部２００ａ、Ｒ２用前処理部２００ｂ、Ｒ３用前処理部２００ｃ、Ｒ４用前処理部２００ｄ）にて、指の接触などによる静電容量の変化に基づく高周波状態の変動を検出すると、Ａ／Ｄ変換器２１０（Ｒ１用Ａ／Ｄ変換器２１０ａ、Ｒ２用Ａ／Ｄ変換器２１０ｂ、Ｒ３用Ａ／Ｄ変換器２１０ｃ、Ｒ４用Ａ／Ｄ変換器２１０ｄ）へと送信され、接触検出を示すデジタル信号に変換される。デジタル化された信号は制御部２２０へと送信されてセンサ素子群としてのまとまった信号の集合として、記憶部２３０に信号の保持する情報を格納する。その後、シリアルインターフェース部、割り込みハンドラにこの信号が送出され、割り込みハンドラにて、タッチセンサドライバが読み取り可能な信号に変換した後、変換後の信号をキューに入れる。なお、制御部２２０は、記憶部２３０に格納した情報に基づき、隣接したセンサ素子の２つ以上で接触を検出した時点で方向の検出を行う。図７では、センサ素子検出専用の制御部２２０および記憶部２３０を設けた例を示したが、これらの各部は、図１の制御部１１０および記憶部１４０と共用させてもよい。
【００４０】
以降、図７〜図２０において、センサ素子の操作に対するサブ表示部の応答について説明する。図７〜図２０において（ａ）は、携帯電話端末に実装したサブ表示部と、その周辺に沿って並べて配置したセンサ素子のみを、説明の簡易化のために示した概略図、（ｂ）は時間推移に伴い検知したセンサ素子を示す図、（ｃ）は検知したセンサ素子に応じたサブ表示部ＥＬＤの操作対象領域の位置変化を示す図である。これらの図の（ａ）において、センサ素子、センサ素子群および離間部には図２（ｂ）と同様の符号を付加している。また（ｃ）のサブ表示部ＥＬＤの表示において、ＴＩはサブ表示部が表示する項目リストのタイトル、ＬＳ１〜ＬＳ４は選択候補項目（例えば、スクロール可能な幾つかの行）である項目を示す。また（ｃ）のサブ表示部において、操作の対象となる状態にある項目は、現在の操作対象領域であることが識別できるように、当該項目にカーソルを配置する、或いは、項目自体を反転表示などで強調表示する。これらの図では、操作対象領域として表示されている項目にはハッチングを施して強調して示している。説明の便宜上、「移動対象」を操作対象領域のみで説明するが、項目自体を移動（スクロール）させる場合も同様の原理でサブ表示部は動作する。
【００４１】
図７は、センサ素子上をユーザがなぞった場合のサブ表示部の応答を説明する図である。同図（ａ）において矢印ＡＲ１に示す上から下の向きに、例えば指などの接触手段を用いて各センサ素子上を連続的になぞると、制御部は（ｂ）で示す時間推移で接触を検知する。この場合はすなわち、センサ素子Ｒ１、Ｒ２、Ｒ３、Ｒ４の順である。この検知したＲ１からＲ４までの連続した接触は、隣接したセンサ素子の２つ以上で接触を検知しているため方向の検出を行い、隣接したセンサ素子を遷移した回数とその方向に応じて、操作対象領域がサブ表示部ＥＬＤに表示したリスト上を移動する。なお、操作対象領域は、ハッチングで表してあるが、ハッチングピッチの狭いものが初期位置であり、ハッチングピッチの広いものが移動後の位置である。この場合は、（ｃ）で示したように操作対象領域の初期位置が項目ＬＳ１であったとすると、操作対象領域は項目ＬＳ４まで上から下へ項目を３つ分移動する。このように、本構成によれば、ユーザの「下方への指の指示動作」と同じように、表示部の「操作対象領域が下方に移動」するため、ユーザはあたかも自己の指で操作対象領域を自在に移動させているように感じることになる。すなわち、ユーザの意図した通りの操作感覚が得られる。
【００４２】
同様に、同図（ａ）において矢印ＡＲ２に示す向きにセンサ素子がなぞられたとすると、この場合（ｂ）で示したように各センサ素子のうちセンサ素子Ｌ４、Ｌ３、Ｌ２、Ｌ１がこの順に接触を検知し、この場合、矢印ＡＲ１と同じく上から下へ隣接するセンサ素子を３つ遷移する接触のため、（ｃ）のように上から下へ項目ＬＳ１から項目ＬＳ４まで操作対象領域が３つ分移動する。
【００４３】
図８は、図７と逆方向、すなわち下から上にセンサ素子がなぞられた場合を示す図である。同図（ａ）に示すように、矢印ＡＲ１の方向になぞられた場合、（ｂ）で示したように各センサ素子のうちセンサ素子Ｒ４、Ｒ３、Ｒ２、Ｒ１がこの順に接触を検知し、矢印ＡＲ２の方向でも同様に、（ｂ）で示したように各センサ素子のうちＬ１、Ｌ２、Ｌ３、Ｌ４がこの順で接触を検知する。これらの場合、（ｃ）において操作対象領域の初期位置が項目ＬＳ４であったとすると、両者とも項目ＬＳ１まで下から上へ操作対象領域が３つ分移動する。
【００４４】
以降の説明では、ユーザの意図しない、センサ素子群の離間部を越えるように連続してセンサ素子を接触した場合に対するサブ表示部の応答を、離間部を越えない場合の接触と合わせて示す。
【００４５】
図９〜図１２では、隣接する２個のセンサ素子を連続して接触した場合について示す。図９は、センサ素子上をユーザがなぞった場合のサブ表示部の応答を説明する図である。同図（ａ）において矢印ＡＲに示す下から上の向きに各センサ素子上を連続的になぞると、制御部は（ｂ）で示す時間推移で接触を検知する。この場合はすなわち、センサ素子Ｌ３、Ｌ４の順である。この検知したセンサ素子Ｌ３からＬ４までの連続した接触は、隣接したセンサ素子の２つ以上で接触を検知しているため方向の検出を行い、隣接したセンサ素子を遷移した回数とその方向に応じて、操作対象領域がサブ表示部ＥＬＤに表示した項目リスト上を移動する。この場合は、（ｃ）で示したように操作対象領域の初期位置がＬＳ２であったとすると、操作対象領域はＬＳ１まで下から上へ項目を１つ分移動する。
【００４６】
図１０は、離間部を越えて第１のセンサ素子群Ｇ１と第２のセンサ素子群Ｇ２を連続して接触した場合の表示部の応答を説明する図である。同図（ａ）において矢印ＡＲで示す左から右の向きに各センサ素子上を連続してなぞると、制御部は（ｂ）で示す推移で接触を検知する。この場合は、センサ素子Ｌ４、Ｒ１の順である。本発明に係る携帯電話端末（電子機器）は、センサ素子群内の少なくとも１つのセンサ素子が第１の接触を検出し、この第１の接触に連続して、第１の接触を検出したセンサ素子を含むセンサ素子群に隣接する他のセンサ素子群内の１つ以上のセンサ素子が第２の接触を検出したとき、前記第１の接触および前記第２の接触のうち、接触を検出したセンサ素子をより多く含む方のみを有効とする（接触に関わるセンサ数が少ない方は無効にする）。よってこの場合は、第１、第２のセンサ素子群で接触を検出したセンサ素子は同数のため、第１のセンサ素子群Ｇ１で検出した第１の接触および第２のセンサ素子群Ｇ２で検出した第２の接触は無効となる。そのため、（ｃ）で示すようにサブ表示部ＥＬＤの操作対象領域は移動しない。
【００４７】
図１１も、センサ素子上をユーザがなぞった場合のサブ表示部の応答を説明する図である。同図（ａ）において矢印ＡＲに示す下から上の向きに各センサ素子上を連続的になぞると、制御部は（ｂ）で示す時間推移で接触を検知する。この場合は、センサ素子Ｒ２、Ｒ１の順である。図８の場合と同様に、この場合は、（ｃ）で示したように操作対象領域の初期位置がＬＳ２であったとすると、操作対象領域はＬＳ１まで下から上へ項目を１つ分移動する。
【００４８】
図１２は、図１０と同様に離間部ＳＰ１を越えて第１のセンサ素子群Ｇ１と第２のセンサ素子群Ｇ２を連続して接触した場合のサブ表示部の応答を説明する図である。（ａ）において矢印ＡＲで示す右から左の向きに各センサ素子上を連続してなぞると、制御部は（ｂ）で示す推移で接触を検知する。この場合は、センサ素子Ｒ１、Ｌ４の順である。図１０と同様の考え方により、第２のセンサ素子群Ｇ２における第１の接触および第１のセンサ素子群Ｇ１における第２の接触は無効となり、（ｃ）で示すようにサブ表示部ＥＬＤにおいて操作対象領域は移動しない。
【００４９】
図１３〜図１６では、隣接する３個のセンサ素子を連続して接触した場合について示す。図１３は、センサ素子上をユーザがなぞった場合のサブ表示部の応答を説明する図である。同図（ａ）において矢印ＡＲに示す下から上の向きに各センサ素子上を連続的になぞると、制御部は（ｂ）で示す時間推移で接触を検知する。この場合は、センサ素子Ｌ２、Ｌ３、Ｌ４の順である。図８の場合と同様に、この場合は、（ｃ）で示したように操作対象領域の初期位置がＬＳ３であったとすると、操作対象領域は項目ＬＳ１まで下から上へ項目を２つ分移動する。
【００５０】
図１４は、離間部ＳＰ１を越えて第１のセンサ素子群Ｇ１と第２のセンサ素子群Ｇ２とに連続して接触した場合のサブ表示部の応答について説明する図である。（ａ）において矢印ＡＲで示す左から右の向きに各センサ素子上を連続してなぞると、制御部は（ｂ）で示す時間推移で接触を検知する。この場合は、センサ素子Ｌ３、Ｌ４、Ｒ１の順である。図に示すように、第１のセンサ素子群で接触を検出したセンサ素子の数は「２」であり、第２のセンサ素子群のそれは「１」である。従って、第１のセンサ素子群で接触を検出したセンサ素子の数の方が、第２のセンサ素子群のそれよりも多いため、第１のセンサ素子群Ｇ１で検出した第１の接触は有効となり、第２のセンサ素子群Ｇ２で検出した第２の接触は無効となる。図１０で説明した場合と同様に、隣接したセンサ素子を遷移した回数とその方向に応じて選択されるリストがサブ表示部ＥＬＤに表示したリスト上を移動し、（ｃ）で示したように操作対象領域の初期位置が項目ＬＳ２であったとすると、操作対象領域は項目ＬＳ１まで下から上へ項目を１つ分移動する。
【００５１】
図１５もまた、センサ素子上をユーザがなぞった場合のサブ表示部の応答を説明する図である。（ａ）において矢印ＡＲで示す左から右の向きに各センサ素子上を連続してなぞると、制御部は（ｂ）で示す推移で接触を検知する。この場合は、センサ素子Ｌ４、Ｒ１、Ｒ２の順である。図に示すように、第１のセンサ素子群で接触を検出したセンサ素子の数は「１」であり、第２のセンサ素子群のそれは「２」である。従って、第２のセンサ素子群で接触を検出したセンサ素子の数の方が、第１のセンサ素子群のそれよりも多いため、第１のセンサ素子群Ｇ１で検出した第１の接触は無効となり、第２のセンサ素子群Ｇ２で検出した第２の接触は有効となる。図１４で説明した場合と同様に、（ｃ）で示したように操作対象領域の初期位置が項目ＬＳ２であったとすると、この場合、操作対象領域は項目ＬＳ３まで上から下へ項目を１つ分移動する。
【００５２】
図１６は、センサ素子上をユーザがなぞった場合のサブ表示部の応答を説明する図である。（ａ）において矢印ＡＲで示す下から上の向きに各センサ素子上を連続してなぞると、制御部は（ｂ）で示す時間推移で接触を検知する。この場合は、センサ素子Ｒ３、Ｒ２、Ｒ１の順である。図１３で説明した場合と同様に、（ｃ）で示したように操作対象領域の初期位置が項目ＬＳ３であったとすると、この場合、操作対象領域は項目ＬＳ１まで下から上へ項目を２つ分移動する。
【００５３】
図１７は、センサ素子上をユーザがなぞった場合のサブ表示部の応答を説明する図である。（ａ）において矢印ＡＲで示す左から右の向きに各センサ素子上を連続してなぞると、制御部は（ｂ）で示す時間推移で接触を検知する。この場合は、センサ素子Ｒ２、Ｒ１、Ｌ４の順である。図に示すように、第１のセンサ素子群で接触を検出したセンサ素子の数は「１」であり、第２のセンサ素子群のそれは「２」である。従って、第２のセンサ素子群で接触を検出したセンサ素子の数の方が、第１のセンサ素子群のそれよりも多いため、第２のセンサ素子群Ｇ２で検出した第１の接触は有効となり、第１のセンサ素子群Ｇ１で検出した第２の接触は無効となる。図１０で説明した場合と同様に、（ｃ）で示したように操作対象領域の初期位置が項目ＬＳ２であったとすると、この場合、操作対象領域は項目ＬＳ１まで下から上へ項目を１つ分移動する。
【００５４】
図１８は、センサ素子上をユーザがなぞった場合のサブ表示部の応答を説明する図である。（ａ）において矢印ＡＲで示す右から左の向きに各センサ素子上を連続してなぞると、制御部は（ｂ）で示す推移で接触を検知する。この場合は、センサ素子Ｒ１、Ｌ４、Ｌ３の順である。図に示すように、第１のセンサ素子群で接触を検出したセンサ素子の数は「２」であり、第２のセンサ素子群のそれは「１」である。従って、第１のセンサ素子群で接触を検出したセンサ素子の数の方が、第２のセンサ素子群のそれよりも多いため、第２のセンサ素子群Ｇ２で検出した第１の接触は無効となり、第１のセンサ素子群Ｇ１で検出した第２の接触は有効となる。図１０で説明した場合と同様に、（ｃ）で示したように操作対象領域の初期位置が項目ＬＳ２であったとすると、この場合、操作対象領域は項目ＬＳ３まで上から下へ項目を１つ分移動する。
【実施例２】
【００５５】
以上、センサ素子群が２つの場合を説明したが、センサ素子群は２つ以上あってもよい。図１９は、第１のセンサ素子群Ｇ１（Ｌ１〜Ｌ３）、第２のセンサ素子群Ｇ２（Ｒ１〜Ｒ３）および第３のセンサ素子群Ｇ３（Ｍ１〜Ｍ３）の３つのセンサ素子群が、離間部ＳＰ１〜ＳＰ３を隔ててサブ表示部ＥＬＤの周囲に沿って並べて配置された場合を示す。
【００５６】
図１９について説明する。（ａ）において矢印ＡＲで示す左から右の向きに各センサ素子上を連続してなぞると、制御部は（ｂ）で示す時間推移で接触を検知する。この場合は、センサ素子Ｌ２、Ｌ３、Ｒ１の順である。図に示すように、第１のセンサ素子群で接触を検出したセンサ素子の数は「２」であり、第２のセンサ素子群のそれは「１」である。従って、第１のセンサ素子群で接触を検出したセンサ素子の数の方が、第２のセンサ素子群のそれよりも多いため、第１のセンサ素子群Ｇ１で検出した第１の接触は有効となり、第２のセンサ素子群Ｇ２で検出した第２の接触は無効となる。図１０で説明した場合と同様に、（ｃ）で示したように操作対象領域の初期位置が項目ＬＳ４であったとすると、この場合、操作対象領域は項目ＬＳ３まで下から上へ項目を１つ分移動する。ここで、サブ表示部ＥＬＤの表示は画面上下方向にスクロールする例を示したが、用途によっては画面左右方向にスクロールするようにしてもよい。
【実施例３】
【００５７】
図２０は、各センサ素子群が一列に並べられた場合を示す図である。第１、第２および第３のセンサ素子群Ｇ１〜Ｇ３は、離間部ＳＰ１、ＳＰ２を隔てて一列に並ぶように配置されている。この場合、サブ表示部ＥＬＤ（（ａ）には図示せず）はセンサ素子群と離れて配置されている。（ａ）において矢印ＡＲで示す左から右の向きにセンサ素子上を連続してなぞると、制御部は（ｂ）で示す時間推移で接触を検知する。この場合は、センサ素子Ｌ３、Ｒ１、Ｒ２の順である。図に示すように、第１のセンサ素子群で接触を検出したセンサ素子の数は「１」であり、第２のセンサ素子群のそれは「２」である。従って、第２のセンサ素子群で接触を検出したセンサ素子の数の方が、第１のセンサ素子群のそれよりも多いため、第１のセンサ素子群Ｇ１で検出した第１の接触は無効となり、第２のセンサ素子群Ｇ２で検出した第２の接触は有効となる。図１０で説明した場合と同様に、（ｃ）で示したように操作対象領域の初期位置が項目ＬＳ５であったとすると、この場合、操作対象領域は項目ＬＳ４まで下から上へ項目を１つ分移動する。
【００５８】
図２１は、本実施例の携帯電話端末における上述したタッチセンサの制御方法を示すフローチャートである。図に示すように、接触を検出すると、ステップＳ１０で接触が「リリース」されたか否か（センサ素子の接触が終了したか）を判定する。接触がリリースされた場合、ステップＳ１２にて最初の接触（「プレス」）と最終的な接触（「リリース」）を検出したセンサ素子群が異なるかを判定する。センサ素子群が同一である場合ステップＳ１４に進み、接触を検出した素子の数から移動距離、「プレス」と「リリース」の素子の位置関係から移動方向を求める。ステップＳ１２にてセンサ素子群が異なる場合ステップＳ１６に進み、「プレス」を検出したセンサ素子が属するセンサ素子群における接触（第１の接触）、および「リリース」を検出したセンサ素子が属するセンサ素子群における接触（第２の接触）それぞれの素子数を求める。その後、ステップＳ１８にて、第１の接触と第２の接触における素子数が等しいか否かを判定する。素子数が等しい場合ステップＳ２０に進み、接触に関するデータを無効とする。素子数が異なる場合ステップＳ２２に進み、接触した素子数の少ない方のデータを無効とする。その後、ステップＳ２４にて、接触を検出した素子の数から移動距離、「プレス」と「リリース」の素子の位置関係から移動方向を求める。なお、ステップＳ１８においては、１つの素子についての接触検出しかできなかったセンサ素子群における検出結果を無効とし、２つ以上の素子について移動を伴う接触が検出されたセンサ素子群における検出結果を有効とする、という処理によっても、同様の結果を達成できる。
【実施例４】
【００５９】
図２２は、センサ素子検出状態を単一素子検出状態だけでなく、隣接する２つの素子をさらに検出している複数素子検出状態を判定するようにして１６個に分割して示した概念図である。図３の構成とほぼ同様であるが、第１のセンサ素子群Ｇ１と第２のセンサ素子群Ｇ２との間にもタクトスイッチを設けた構成である。即ち、センサ素子Ｌ４とセンサ素子Ｒ１との間にタクトスイッチＳＷ３と、センサ素子Ｒ４とセンサ素子Ｌ１との間にタクトスイッチＳＷ４とが新たに設けられている。８個のセンサ素子の検出状態を１個ずつ管理すると、８個の検出状態を管理できる。しかしながら、８個の検出状態では、状態の数、即ち、状態変化が少ないため、あまり精密な制御はできない。例えば、センサ素子間にまたがって配置されるタクトスイッチＳＷ１の場合には、タクトスイッチＳＷ１を押下するときに、先にセンサ素子Ｌ２、Ｌ３に接触が検出されるため、ユーザの意図しない動作指示となる恐れがある。つまり、センサ素子Ｌ２、Ｌ３の順に検出された場合には、何らかの決定指示のためのタクトスイッチＳＷ１押下動作にもかかわらず、上方への移動指示となってしまい、操作対象領域が上方に「１つずれた後」でタクトスイッチＳＷ１押下による選択動作が確定したりして、意図しない項目が決定指示されたりするなどの可能性がある。
【００６０】
このようなタクトスイッチＳＷ１−４の押下処理を適切に処理するために、１６個の検出状態で２つまたは３つの検出状態変化（移動）を検出するまで、移動指示の確定を保留する方法がある。また、タクトスイッチの押下が確定した時点でそれまでのセンサ素子の検出状態（結果）を破棄する方法も考えられ、以降、フローチャートを参照して詳細に説明する。
【００６１】
図２３は、１６個の検出状態における移動確定処理（即ち、保留処理）の一例を示すフローチャートであって、いずれか1個の検出状態がキューＱＵＥに発生することを検出する毎に、このフローチャート処理をタッチセンサドライバＴＳＰが行う。リリースされた状態から最初に検出した位置（１６個のいずれか１つの検出状態）を最初の基準点とする。この基準点、現在の検出位置（キューＱＵＥに新たに入れられた検出状態）、前回の検出位置（キューＱＵＥに残されている１つ前の検出状態）の３つから、移動距離（検出状態の遷移）を判定する。図に示すように、ステップＫ１０では、前回の位置がリリースされたか否かを判定する。リリースされていると判定された（キューＱＵＥに残っている前回のデータが「リリース」である）場合は、ステップＫ１２に進み、現在の検出位置がリリースされたか否か（即ち、新たに入れられたデータが「リリース」であるか否か）を判定する。現在の検出位置がリリースされていると判定された場合は処理を終了し、そうでない場合はステップＫ１４に進み、基準点と前回の検出位置を現在の検出位置に設定する。
【００６２】
ステップＫ１０で前回の位置がリリースされていないと判定された場合（即ち、他に検出が生じており、今回の検出がそれに引き続くものである場合）は、ステップＫ１６に進み、現在の検出位置がリリースされたか否か（即ち、新たに入れられた信号が「リリース」であるか否か）を判定する。現在の検出位置がリリースされていると判定された場合は、基準点と前回の検出位置を初期化（クリアー）して処理を終える（ステップＫ１８）。ステップＫ１６で現在の検出位置がリリースされていないと判定された場合は、前回の検出位置と現在の検出位置との距離を計算して（ステップＫ２０）、計算した距離が１または２であるか否かを判定する（ステップＫ２２）。計算した距離が１または２ではない（即ち、３以上）と判定された場合は、センサ素子を飛ばして不連続な検出状態であると判定し（ステップＫ２４）、基準点を現在の検出位置に設定し（ステップＫ２６）、ステップＫ３６に進む。ステップＫ２２で計算した距離が１または２であると判定された場合は、現在の検出位置と基準点との距離を計算する（ステップＫ２８）。なお、距離の計算は、キューＱＵＥに入れられる信号により、センサ素子ごとの検出位置が分るため、前回の検出位置と、現在の検出位置との間に、１６個の検出状態のうちの何個分の差があるのかをタッチセンサドライバＴＳＤが判断して行う。
【００６３】
また、ステップＫ２８で計算された距離が、２または３である否かを判定し（ステップＫ３０）、条件を満たさない場合（即ち、４以上）はステップＫ３６にエラーとして進み、条件を満たす場合（距離が２または３である場合）は、移動を確定する（ステップＫ３２）。即ち、最初に触れた位置が「基準点」とされ、その後「リリース」されることなく引き続いて接触が検出され続けると「前回位置」が更新され、最終的に、最新の検出位置である「現在の位置」が基準点に対して「２または３移動した」と判定されたときに初めて、「移動あり」と判定している。さらに、単一素子検出状態および複数素子検出状態を連続して検出することで、「２の移動」であると判定しているため、センサ素子上では、上記「２の移動」により初めてセンサ素子１つ分指が移動していることになる。次の基準点を前の基準点から移動方向に２つ移動した位置に設定し（ステップＫ３４）、ステップＫ３６に進む。ステップＫ３６では、次回の処理のために「前回の検出位置」を「現在の検出位置」に設定して、処理を終える。
【００６４】
また、タクトスイッチＳＷ１−ＳＷ４が押下された場合は、押下検出時に設定されている前回の検出位置と基準点とを初期化（クリアー）する。次に、このようなフローチャートの移動確定処理を用いて、図２２のタクトスイッチが押下された場合の処理を説明する。タクトスイッチＳＷ１を押す場合に、「Ｌ２検出状態」、「Ｌ２−Ｌ３検出状態」の順に検出状態が遷移する場合には、この時点では１つしか検出状態が遷移（移動／変化）していないため、移動は確定しない。タクトスイッチＳＷ１を押下した後で、指を離すときに、「Ｌ２−Ｌ３検出状態」、「Ｌ３検出状態」の順に検出状態が遷移する場合が考えられる。このとき、タクトスイッチ押下までの検出状態が保持されている場合には、「Ｌ２検出状態」、「Ｌ２−Ｌ３検出状態」、「Ｌ３検出状態」の順に検出状態が２つ遷移しているため、移動が確定してしまう恐れがあるが、上述したように、タクトスイッチＳＷ１の押下を検出した時点で、過去の検出結果を破棄してあるため、指を離すときの誤検出を防止することができ、タクトスイッチのリリース時にセンサ素子の移動指示であると誤認識することがない。
【００６５】
或いは、タクトスイッチＳＷ１を離すときに、「Ｌ２検出状態」、「Ｌ２−Ｌ３検出状態」の順に検出状態が遷移することがある。タクトスイッチ押下前の検出結果を破棄しても、タクトスイッチを離す際に、再度、センサ素子に触れてしまうことが考えられる。しかし、このような場合であっても、図２３のフローチャートの処理に従えば、検出状態は１つしか遷移していないため、タクトスイッチのリリース時にセンサ素子の移動指示であると誤認識することがない。
【００６６】
図２４は、図２３のフローチャートの処理を図２２のセンサ素子Ｌ１からＬ４への接触に適用した場合の確定処理を説明する図である。図に示すように、検出状態変化は、「Ｌ１検知」、「Ｌ１−Ｌ２検知」、「Ｌ２検知」、「Ｌ２−Ｌ３検知」「Ｌ３検知」、「Ｌ３−Ｌ４検知」、「Ｌ４検知」となる。即ち、単一素子検出状態と複数素子検出状態とＬ１からＬ４まで繰り返し検知する。まず、初めの「Ｌ１検知」が基準点ＢＰ１に設定される（Ｋ１４）。次に「Ｌ１−Ｌ２検知」が生じると、前回の位置がリリースではなく「Ｌ１検知」であるため、前回の位置と今回検出された現在位置とを比較する（Ｋ２０）。ここではＬ１から「Ｌ１−Ｌ２」への１コマの移動であるため有効とされ、今度は基準点と現在位置とを比較する（Ｋ２８）。ここでは、基準点も前回位置も同じＬ１に設定されているため、やはり移動量は１コマであり、この段階では移動は確定せず、現在位置のＬ１−Ｌ２検知状態を前回位置ＰＰ１とする（Ｋ３６）。
【００６７】
さらに「リリース」が途中で生じることなく「Ｌ２検知」が生じると、前回の位置が「Ｌ１−Ｌ２検知」であるため、前回の位置と今回検出された現在位置ＣＰ１とを比較する（Ｋ２０）。こではＬ１−Ｌ２からＬ２への１コマの移動であり、「１または２か？」の判定条件を満たすため有効とされ、今度は、基準点と現在位置とを比較する（Ｋ２８）。今回も基準点はＬ１検知時と変わらず同じＬ１に設定されているため、Ｌ２との位置関係は２コマであるため、移動量は２コマと判定される（Ｋ３０）。そして、ここで初めて移動が確定する（Ｋ３２）。そして、次の判定のために、基準点ＢＰ２を「Ｌ１検知」から移動方向に２コマ遷移させた点、すなわち「Ｌ２検知」に設定（Ｋ３４）するとともに、前回位置を現在位置「Ｌ２検知」に再度設定し直して、確定処理１が完了する。
【００６８】
このように、タッチセンサドライバは、２コマの検知状態の遷移を検出することにより、移動「１」が決定される。つまり、ステップＫ３２において移動が確定されると、結果通知部ＮＴＦに移動方向成分(Ｌ１からＬ４に向かう時計回り方向、すなわちＳＰ２からＳＰ１に向かう方向)および「１」の移動を格納するとともに、ベースアプリに対して記憶内容の更新を通知し、ベースアプリはこの更新内容を抽出してサブ表示部表示アプリＡＰ１などに通知することになる。サブ表示部表示アプリＡＰ１が使用中ならば、移動方向成分に基づいて「下から上に向かう方向」に、「１」の移動量か与えられているので、これに見合った処理として、サブ表示部ＥＬＤの表示を変化させる。具体的には図８（Ｃ）に示すようなリスト表示を行っていて、操作対象領域がＬＳ４に位置している場合には、確定処理１に基づき操作対象領域はＬＳ３に移動することとなる。ところで、この確定処理１と同様に第２のセンサ素子群であるＲ１−Ｒ４に対して、「Ｒ４検知」状態から連続して「Ｒ４−Ｒ３検知」「Ｒ３検知」と継続して検知状態が遷移したときにもタッチセンサからは移動方向成分に基づいて「下から上に向かう方向」および、「１」の移動量の付与の情報がベースアプリ経由でサブ表示部表示アプリＡＰ１に与えられ、リスト表示の画面表示上は第１のセンサ素子部における操作と同じように、操作対象領域は項目ＬＳ４からＬＳ３に変化することとなる。
【００６９】
次に、確定処理１に引き続き、「リリース」が生じることなく指の移動が継続した場合を説明する。確定処理１の場合と同様、図中の確定処理２に示すように、検知状態が基準点ＢＰ２から「Ｌ２−Ｌ３検知」を前回の位置ＰＰ２とし、「Ｌ３検知」が現在の位置ＣＰ２となったとき、基準点ＢＰ２と現在の位置ＣＰ２との距離が２コマとなるため、さらに移動「１」が確定する。すなわち、確定処理１に引き続いた確定処理２の両方により、合計「２」の移動が確定する。そして、さらに引き続く処理のために、基準点ＢＰ２「Ｌ２検知」から２コマ先の「Ｌ３検知」を新たな基準点ＢＰ３として基準点を変更する。
【００７０】
同様に、図中の確定処理３に示すように、検知状態が、基準点ＢＰ３から２コマ進み、「Ｌ３−Ｌ４検知」を前回の位置ＣＰ３として「Ｌ４検知」が現在の位置ＣＰ３になった時点で、距離が２コマとなるため、さらに「１」移動が確定して、確定処理１・２と合わせて合計「３」個の移動が確定する。このようにして、合計「３」の移動がアプリに通知されることとなる。
【００７１】
サブ表示部ＥＬＤにおける表示としては、サブ表示部表示アプリＡＰ１に、確定処理１に引き続いて、「下から上に向かう方向」に「１」の移動確定が２回通知されることとなるので、操作対象領域がＬＳ３から上方向に「２」移動したＬＳ１にまで変化することとなる。ここで、単一素子検出状態の検出だけではなく、複数素子検出状態も検出するように構成して検出状態を細分化したにもかかわらず、状態遷移２コマの移動により確定する移動量を「１」としたことにより、結局、例のような４つのセンサ素子で構成されるセンサ素子時の場合には最大「３」の移動確定を行うようにした。つまり、センサ素子数４つの場合に単一素子検出のみによって移動確定を行う場合と、最終的に見た目の移動量は非常に近似したものとなるが、正確に単一の素子の真上のみを触っていなくとも、最大「３」の移動量を確保することが出来、ユーザの不正確な操作にも無反応などとなることなく、ユーザの希望に沿う形で対応できることとなる。このようにして、タッチセンサにより項目が選択され、引き続いてタクトスイッチを押下する際、タッチセンサ操作中に当接していたドーナツ状のパネルをそのまま押し込むことによってキー検出ドライバにより決定の指示をべースアプリ経由でサブ表示部表示アプリなどの使用中アプリに与えることが出来るため、ユーザにとって指の移動量の少ないさらに快適なユーザインターフェースとなる。
【００７２】
また、センサ素子数が「４」つで構成されるセンサ素子群の場合、初めに当接するセンサ素子分「１」を引いた「３」が最大移動確定量となる。よって、サブ表示部ＥＬＤに選択項目をリスト表示させる際、サブ表示部表示アプリは、センサ素子数「４」と同数である「４」行の選択項目を表示させることが好ましい。このように表示制御することにより、最下部（ＳＰ１側）のセンサ素子Ｌ１やＲ４に初めに接触検出され、最上部（ＳＰ２側）にまで連続し接触検出が継続すると、「３」の移動確定がサブ表示部表示アプリに供給されるため、最下段（ＬＳ４）から最上段（ＬＳ１）に選択対象領域が移動することになる。すなわち、最下部から最上部への最大移動が、表示上でも最下段から最上段への最大移動となるため、タッチセンサへの移動操作とサブ表示部ＥＬＤにおける移動表示が一致するため、ユーザにとって非常に操作内容を把握し易いユーザインターフェースとすることが出来る。
【００７３】
さらに、第１センサ素子群と第２センサ素子群とがサブ表示部ＥＬＤを挟み、対称な形態に配されているため、いずれを操作しても同様の操作指示を与えることが出来る。その上、互いの端部を並べて配してあるため、例えば、センサ素子Ｌ１から時計回りに接触検出状態を遷移させて、センサ素子Ｒ４検知状態にまで至るとき、サブ表示部ＥＬＤ上では次のような表示の変化が生じる。すなわち、Ｌ１検出からＬ４検出時点までで最下段ＬＳ４から最上段ＬＳ１にまで操作対象領域が移動し、続いてＲ１検知してＲ４まで検知状態が遷移すると最上段ＬＳ１から最下段ＬＳ４に操作対象領域が戻ることとなる。これにより、ユーザは一度も指を離さなくとも、選択項目の選択時に上下方向を付与する手とが出来たり、操作対象領域をもとの位置に戻したりすることができ、ユーザにとって快適性の高い操作感を与えることが出来る。
【００７４】
なお、携帯電話機を携帯するユーザが、振動の生じやすい場所にて操作を行ったときに、外部振動によって指の移動中に一瞬タッチセンサから指が離れる場合などが考られる。このような場合に、センサ素子数分についてのみを検知するという単一素子検出のみを行って移動検出する粗い検知方式ならば、検知漏れが生じにくいが、単一素子検出だけでなく複数素子検出状態も検知するような緻密な検知方式とした場合、瞬間的に指示離れただけでも指は回転動作を継続中であるために検知状態を１つ飛ばしてしまう場合も考えられる。しかしながら、ステップＫ２２にて「前回位置と現在位置の距離が１か２か？」としたことにより、前回位置から２移動している場合、つまり前回位置から１つ飛ばしても連続移動検出状態として扱うことが出来るため、振動下においてもユーザの希望した動作に極力近づけることが出来る。
【００７５】
なお、ステップＫ３０において距離２コマだけでなく３コマについても有効としていることからも、振動などで指が一瞬はずれたり、素早い操作で検出状態が１つ飛んで検出されたりした場合などにも移動操作を検出することが出来る。さらに、３コマの移動量検出でも、次の２コマのときと同様に「１」の移動量確定とするだけでなく、次回検出のための基準点の設定は２コマ移動のときと同様に前回基準点に対して２コマのみ移動させるにとどめているため、３コマ検出による移動確定を行った場合でも、センサ素子数ｎから１を引いた「ｎ−１」の移動確定する量を確保することが出来、ユーザにとってはいかなる触り方をしても同じ操作感という安定した操作感を得ることが出来るようになる。  
【００７６】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップなどに含まれる機能などは論理的に矛盾しないように再配置可能であり、複数の手段やステップなどを１つに組み合わせたり、或いは分割したりすることが可能である。実施例においては、タッチセンサとして静電容量式のものを用いて説明したが、この方式に限定されるものではない。例えば、複数の薄膜電極同士の当接の検出による電流の変動計測などで接触を検出する薄膜抵抗方式などのタッチセンサも存在するが、このような方式のタッチセンサを用いても本発明は実現可能である。また、例えば、実施例では、円環状に設けたセンサ素子レイアウトで説明したが、コ字状に配置されるセンサ素子群を表示部を挟んで対向配置させてもよい。また、センサ素子群は左右の配置の実施例で説明したが、上下２群で構成してもよい。さらに、実施例では、携帯電話端末を挙げて説明してあるが、電話以外の携帯無線端末、ＰＤＡ（パーソナルデジタルアシスタンス）、携帯ゲーム機、携帯オーディオプレイヤー、携帯ビデオプレイヤー、携帯電子辞書、携帯電子書籍ビューワーなどの携帯電子機器に幅広く本発明を適用することが可能である。また、実施例では、センサ素子として静電容量式の接触センサを挙げたが、前述した薄膜抵抗式、さらには、受光量の変動によって接触を検知する光学方式、表面弾性波の減衰によって接触を検知するＳＡＷ方式、誘導電流の発生によって接触を検知する電磁誘導方式のセンサ素子を用いてもよい。また、接触センサのタイプによっては、指以外の専用ペンなどの指示器具を使用するものがあるが、本発明の原理はこのような接触センサを搭載した携帯電子機器にも適用し得るものである。
【図面の簡単な説明】
【００７７】
【図１】本実施例の携帯電話端末の概要を示すブロック図である。
【図２】本実施例の携帯電話端末の斜視図である。
【図３】本実施例の携帯電話端末に実装した表示部周囲の構成を示す分解斜視図である。
【図４】本実施例の詳細な機能ブロック図である。
【図５】本実施例の携帯電話端末のタッチセンサ機能のより詳細な構成を示すブロック図である。
【図６】本実施例の携帯電話端末における各センサ素子による接触検知のデータ処理を概略ブロック図である。
【図７】本発明の実施例１のセンサ素子の動作を説明する図である。
【図８】本発明の実施例１のセンサ素子の動作を説明する図である。
【図９】本発明の実施例１のセンサ素子の動作を説明する図である。
【図１０】本発明の実施例１のセンサ素子の動作を説明する図である。
【図１１】本発明の実施例１のセンサ素子の動作を説明する図である。
【図１２】本発明の実施例１のセンサ素子の動作を説明する図である。
【図１３】本発明の実施例１のセンサ素子の動作を説明する図である。
【図１４】本発明の実施例１のセンサ素子の動作を説明する図である。
【図１５】本発明の実施例１のセンサ素子の動作を説明する図である。
【図１６】本発明の実施例１のセンサ素子の動作を説明する図である。
【図１７】本発明の実施例１のセンサ素子の動作を説明する図である。
【図１８】本発明の実施例１のセンサ素子の動作を説明する図である。
【図１９】本発明の実施例２のセンサ素子の動作を説明する図である。
【図２０】本発明の実施例３のセンサ素子の動作を説明する図である。
【図２１】本実施例の携帯電話端末におけるタッチセンサの制御方法を示すフローチャートである。
【図２２】センサ素子検出状態を１６個に分割して示した概念図である。
【図２３】１６個の検出状態における移動確定処理の一例を示すフローチャートである。
【図２４】図２３のフローチャートの処理を図２２のセンサ素子Ｌ１からＬ４への接触に適用した場合の確定処理を説明する図である。
【図２５】従来のセンサ素子およびその制御例を説明する図である。
【図２６】従来のセンサ素子およびその制御例を説明する図である。
【符号の説明】
【００７８】
１００  携帯電話端末
１１０  制御部
１２０  センサ部
１３０  表示部
１４０  記憶部
１４２  保存領域
１４４  外部データ保存領域
１５０  情報処理機能部
１６０  電話機能部
ＫＥＹ  キー操作部
ＳＰ  スピーカ
ＣＯＭ  通信部
１７０  タッチセンサ
１８０  カメラ
１９０  ライト
ＥＬＤ  サブ表示部
ＰＮＬ  パネル
Ｒ１〜Ｒ４  センサ素子
Ｌ１〜Ｌ４  センサ素子
Ｇ１〜Ｇ３  センサ素子群
ＳＰ１、ＳＰ２  離間部
ＳＷ１〜ＳＷ４  タクトスイッチ
ＡＰ１〜ＡＰ４  アプリケーション
ＢＡ  ベースアプリ
ＦＬＧ  フラグ記憶部
ＡＰＲＦ  ＲＦＩＤアプリ
ＡＰＩＲ  赤外線通信アプリ
ＩＲＤ  赤外線通信ドライバ
ＲＦＤ  ＲＦＩＤドライバ
ＫＳＰ  キースキャンポートドライバ
ＡＵＤ  オーディオドライバ
ＰＲ  プロトコル
ＲＤ  ラジオドライバ
ＳＩ  シリアルインターフェース部
ＳＷＣＯＮ  切替制御部
ＫＥＹ  キー操作部
ＯＣＤ  開閉検出デバイス（磁気）
ＭＩＣ  マイク
ＥＡＰ  イヤホン
ＲＭ  ラジオモジュール
ＳＷ  切替部
ＩＲ  赤外線通信部
ＲＦＩＤ  ＲＦＩＤモジュール
ＴＳＭ  タッチセンサモジュール
ＰＳＣＯＮ  電源コントローラ
ＰＳ  電源
ＱＵＥ  キュー
ＣＮＦ  確認部
ＳＩＭＯＮ  シリアル割込み監視部
ＩＨ  割込ハンドラ
ＤＬ  デバイス層
ＣＬＫ  ＯＳタイマー
ＴＳＢ  タッチセンサドライバブロック
ＴＳＢＡ  タッチセンサベースアプリブロック
ＡＰＩ  アプリケーションプログラムインターフェース
２００  前処理系
２１０  Ａ／Ｄ変換器
２２０  制御部
２３０  記憶部
ＡＲ、ＡＲ１、ＡＲ２  矢印
ＴＩ  タイトル
ＬＳ１〜ＬＳ８  リスト項目
Ｍ１〜Ｍ３  センサ素子
ＢＰ１〜ＢＰ３  基準点
ＰＰ１〜ＰＰ３  前回の位置
ＣＰ１〜ＣＰ３  現在の位置
【図１】
2008054035.tif 000003
【図２】
2008054035.tif 000004
【図３】
2008054035.tif 000005
【図４】
2008054035.tif 000006
【図５】
2008054035.tif 000007
【図６】
2008054035.tif 000008
【図７】
2008054035.tif 000009
【図８】
2008054035.tif 000010
【図９】
2008054035.tif 000011
【図１０】
2008054035.tif 000012
【図１１】
2008054035.tif 000013
【図１２】
2008054035.tif 000014
【図１３】
2008054035.tif 000015
【図１４】
2008054035.tif 000016
【図１５】
2008054035.tif 000017
【図１６】
2008054035.tif 000018
【図１７】
2008054035.tif 000019
【図１８】
2008054035.tif 000020
【図１９】
2008054035.tif 000021
【図２０】
2008054035.tif 000022
【図２１】
2008054035.tif 000023
【図２２】
2008054035.tif 000024
【図２３】
2008054035.tif 000025
【図２４】
2008054035.tif 000026
【図２５】
2008054035.tif 000027
【図２６】
2008054035.tif 000028